(57)【要約】【課題】従来の貼付紙片引き剥がし式日めくりカレンダーは、カレンダーの小片が剥がされていない最初の表示日が「今日」であり、小片を剥し忘れた場合に「今日」が、何日であるか判らなくなってしまうという欠点が有った。【解決手段】少なくとも一部が、剥離可能な接着剤で積層された２層構造のカレンダーであって、１層目のシートと２層目のシートには同じ配列で月，日付が配置され、１層目のシートに配置された日付表示部の周縁には、日付表示部を１日単位で剥ぎ取るための切込みが形成され、剥ぎ取られた日付表示部の跡に形成された開口部には、２層目のシートに配置された日付表示部が表出される日めくり式カレンダーを提供する。【選択図】  図１
2006103081.tif 000002
【特許請求の範囲】
【請求項１】
少なくとも一部が、剥離可能な粘着剤で積層された２層構造のカレンダーであって、
１層目のシートと２層目のシートには同じ配列で１２ヶ月、または、６ヶ月のカレンダーが印刷され、１層目のシートに印刷された日付け表示パターンの周縁には、日付け表示部を剥ぎ取るための切込みが形成され、１層目の剥ぎ取られた日付け表示紙片の開口部には、２層目のシートに印刷され、１層目の剥ぎ取られた紙片と同一の日付け表示パターンが表出することを特徴とする日めくり式カレンダー。
【請求項２】
請求項１に記載の日めくり式カレンダーにおいて、
２層目のシートから表出する日付け表示パターン色は、剥ぎ取られた１層目の日付け表示パターン色と異なることを特徴とする日めくり式カレンダー。
ことを特徴とする積層カレンダー。
【請求項３】
請求項１〜２何れかに記載の日めくり式カレンダーにおいて、
月表示は横に平行な帯で表示され、日付け表示は前記帯の内側に列で表示されたことを特徴とする日めくり式カレンダー。
【請求項４】
請求項３に記載の日めくり式カレンダーにおいて、
日めくり式カレンダーの中央部には、帯に平行にミシン目が形成されたことを特徴とする日めくり式カレンダー。
【発明の詳細な説明】
【技術分野】
【０００１】
本発明は、日めくり式カレンダーに関し、詳しくは、１層目のシートと２層目のシートが再剥離可能な接着剤で積層され、１層目のシートに形成された日付表示部を１日単位で剥ぎ取ってゆく、日めくり式カレンダーに関する。
【背景技術】
【０００２】
従来から、薄紙を綴じ合わせた『日めくり式カレンダー』が広く利用されている。
この『日めくり式カレンダー』は、１日単位で印刷された紙片が重ねられて糊や、針金などで綴じられており、新しい日を迎えると、その前の日の紙片を切り取って、その日の日付けに切り替える。
１日単位のカレンダーには、例えば、年，月，曜日、その他、その日に関することが盛り沢山に記載されている。
従来の『日めくり式カレンダー』は、前述のように極めて便利なものであるが、製造する上で幾つかの課題を抱えている。
カレンダーは、休日や、祝日などが追加されたり、祝日の名称に変更が行われたりするために、日めくりカレンダーに限らず、２年以上先のカレンダーを作製することは通常行わない。
そのために、印刷した用紙を４００枚近く重ねて丁合する専用機を導入しても、上述のように１年に１度しか使用することができず、設備償却費を捻出することが難しい。
そのために、専用機も無く、１年分の印刷済みの用紙を重ね合わせる作業は、手作業になってしまう。
1日分を多面付けで印刷し、多面付けされた印刷物を１日毎に順次積み重ねる方式で手丁合した場合、丁合ミスによる、落丁（欠落），乱丁（同じものが複数枚綴じられる，または、順序が入れ替わる）によって出荷できないものが数多く発生する。
また、落丁や、乱丁を防ぐことができても、薄い紙による４００枚近い束をカレンダー単位の小さい面積毎に自動裁断し、再び小さい面積のカレンダー単位に整え直す作業が極めて能率が悪く、長年の課題となっている。
【０００３】
一方、カレンダー部分が厚く，重くなるために、カレンダーを支える台紙が厚くなり、その結果、材料費が高くなりコストアップとなる。
また、毎日紙を千切って捨てるという構成であるために、資源保護の面で決して好ましい形態とはいえない。
また、でき上がった製品は、梱包し難く、輸送効率が悪い。
【０００４】
そこで、カレンダーの日付け部分を１日ごとに剥して使用するカレンダーが提案されている（例えば特許文献１参照）。
提案されている技術によれば、カレンダーの日付け部分を１日ごとの小片にして毎日めくって剥がせるようにシール貼りをするというものである。
【０００５】
【特許文献１】登実第３０１６１０１号公報
【発明の開示】
【発明が解決しようとする課題】
【０００６】
前述の特許文献で開示されている技術は、カレンダーの小片が剥がされていない最初の表示日が「今日」であり、小片を剥し忘れた場合に「今日」が、何日であるか判らなくなってしまうという欠点が有る。
【課題を解決するための手段】
【０００７】
前記課題を解決するために、本発明の日めくり式カレンダーの請求項１に記載の発明は、少なくとも一部が、剥離可能な接着剤で積層された２層構造のカレンダーであって、１層目のシートと２層目のシートには同じ配列で月，日付が配置され、１層目のシートに配置された日付表示部の周縁には、日付表示部を１日単位で剥ぎ取るための切込みが形成され、剥ぎ取られた日付表示部の跡に形成された開口部には、２層目のシートに配置された日付表示部が表出されることを特徴とするものである。
【０００８】
また、請求項２に記載の発明は、請求項１に記載の発明において、開口部から表出する２層目の日付表示部の色は、１層目の日付表示部の色と異なることを特徴とするものである。
【０００９】
また、請求項３に記載の発明は、請求項１〜２何れかに記載の発明において、月のカレンダーは横長の帯で表示され、日付は前記帯の内側に表示されたことを特徴とするものである。
【００１０】
また、請求項４に記載の発明は、請求項３に記載の発明において、日めくり式カレンダーの中央部には、帯に平行なミシン目状カット部が形成されたことを特徴とするものである。
【発明の効果】
【００１１】
１）請求項１に記載のように、少なくとも一部が、剥離可能な接着剤で積層された２層構造のカレンダーであって、１層目のシートと２層目のシートには同じ配列で月，日付が配置され、１層目のシートに配置された日付表示部の周縁には、日付表示部を１日単位で剥ぎ取るための切込みが形成され、剥ぎ取られた日付表示部の跡に形成された開口部には、２層目のシートに配置された日付表示部が表出されることによって、従来の日めくり式カレンダーの製造時に発生した丁合ミスによる、落丁，乱丁を防止することができ、更に、材料費，人件費等のコストダウンを計ることが可能になる。また、製品の梱包形態上も無駄なスペースが無くなり、輸送費を削減することができる。
２）また、請求項２に記載のように、請求項１に記載の発明において、開口部から表出する２層目の日付表示部の色は、１層目の日付表示部の色と異なることによって、過ぎ去った日と、これから訪れる日の集団が一目瞭然となる。
３）また、請求項３に記載のように、請求項１〜２何れかに記載の発明において、月のカレンダーは横長の帯で表示され、日付は前記帯の内側に表示されたことによって、過ぎ去った日と、これから訪れる日の集団が区別し易くなる。
４）また、請求項４に記載のように、請求項３に記載の発明において、日めくり式カレンダーの中央部には、帯に平行なミシン目状カット部が形成されたことによって、カレンダーの大きさが大きくなった時に、折り畳むことができ、都合がよい。
また、製法上の自由度が広がる。
【発明を実施するための最良の形態】
【００１２】
以下、図面を参照して本発明の日めくり式カレンダーについて説明する。
図１は、本発明の日めくり式カレンダーの一例について説明するための図，図２は、図１のＡ−Ａ線断面の一例について説明するための図，図３は、本発明の日めくり式カレンダーの開口部、および、開口部から表出する日付表示部の一例について説明するための図，図４は、本発明の日めくり式カレンダーの開口部、および、開口部から表出する日付表示部の他の一例について説明するための図，図５は、本発明の日めくり式カレンダーの他の一例について説明するための図，図６は、本発明の日めくり式カレンダーの作製方法の一例について説明するための図，である。
【００１３】
図１を参照して、本発明の日めくり式カレンダーの一例について説明する。
図１に示す日めくり式カレンダー５の例は、平面状にレイアウトされた１日を最小単位とする１ヶ月単位の帯が、１月から１２月まで印刷された１年分のカレンダーの例である。
２層目のシートの印刷構成は、図示しないが１層目のシートと同配列になっていて１層目のシートとは表示方法、印刷色などが異なる状態で印刷されている。
例えば、１層目のシートに印刷されている１日単位のカレンダーの裏側、即ち、２層目のシート積層面には、例えば、日付表示が白抜きの数字で、周辺が墨1色で表示されたり、日付表示が墨色の数字で、周辺が白で表示されており、１層目とは明らかに異なった状態で視認されるようになっている。
【００１４】
カレンダーの日付表示の周縁には、１日単位で切り込み１３が形成されており、切り込みに沿って日付表示部１２（以下、日付表示紙片１２という。）を剥すと、剥された開口部に、同一日付けで異なった色彩の日付けが表出するようになっている。
その結果、図示しないが、過ぎ去った日を、例えば、無彩色で目立たないようにカレンダーに表示することができる。
図１では、１月表示１０の帯のみに切込み１３を表示しているが、２月以降、全ての月の帯にも日付表示の周縁に切込みが形成される。
図１に示す形態では、切込みは、２月以降の月では上辺は前の月の下辺と共有し、左辺は前の日の右辺と共有するようになっている。
月のカレンダーを表示する帯の間にスペースを設ける場合は、上下辺は共有しない形態となる。
【００１５】
１層目のシートと２層目のシートを接着している剥離可能な接着剤は、再剥離再接着可能な粘着剤である場合や、再接着不可能な再剥離型接着剤の場合があり、再剥離再接着可能な粘着剤の場合は、粘着剤が１層目のシートの裏側に形成された状態で剥ぎ取られる。
また、日付表示紙片を剥し易いように、日付表示紙片の一部に接着剤が形成されていない部分を設けることもできる。
【００１６】
日めくり式カレンダー５の上半分には２００５年の１月から６月までの半年分のカレンダーが、下半分には７月から１２月までの半年分のカレンダーがデザインされている。
日めくり式カレンダー５の中央部には横方向にミシン目状カット部６が形成され、製造の際にミシン目状カット部６で折り畳むことができるようになっている。
図１に示す形態の場合は、日にちの流れを見易くするために、１本の帯の中に１ヶ月分の日付表示紙片１２を直線的に詰め込んでいる。その結果、カレンダーの左右が狭くなった時に、日付表示紙片１２が切取り難い場合が生じる。そこで、１ヶ月を２段（分断された１本の帯）で表示したり、カレンダーを見やすくするために月単位の帯の間にスペースを設けたりする。
丁合装置などを使用して、このように縦に長いカレンダーを作製する際に、ミシン目状カット部６を設け、この部分で折り畳めるようにする。
製造の際に前述のような丁合装置を使用しない場合は、ミシン目状カット部６は設けなくてもよい。
【００１７】
１層目のシートに印刷される日めくり式カレンダー５には、休日，祝日などを表示する強調表示枠１１が必要である。
そのために、例えば、カレンダー全体のバランスを壊さない色を使用して日付表示紙片の周縁に強調表示枠１１を印刷する。例えば、強調表示枠１１の印刷色が、彩度が高すぎて周りの日付けが見え難くなったり、目立ちすぎるパターン等を使用して見る側に苦痛を与えるようなことにならないようにする。
【００１８】
図２を参照して、図１のＡ−Ａ線断面の一例について説明する。
図１のＡ−Ａ線は、２００５年の日めくり式カレンダー５の、１月最終日付近の日付表示紙片部分を通過している。
１層目のシート基材１は、接着剤層３と剥離剤層４を介して、２層目のシート基材２と積層されている。
１層目のシート基材上には、日付け表示インキ１４が形成され、日付表示紙片１２の境界は、切込み１３によって分断されている。
日付表示紙片１２を引き剥がすと、１層目のシートが２層目のシートから剥離する。
再剥離可能な接着剤３が、再剥離再接着可能な粘着剤の場合は、粘着剤３が１層目のシートの裏側に形成された状態で剥ぎ取られる。
再接着不可能な再剥離型接着剤の場合は、接着剤３が１層目のシートの裏側に形成された状態で剥ぎ取られるか、接着剤が接着剤層間で破壊して一部が１層目のシートの裏側に形成された状態で剥ぎ取られる。
接着剤が後者の場合は、剥離剤層４は省略される。
剥がされた開口部からは、２層目の表面に印刷された日付表示部２１が表出する。
【００１９】
図３，図４を参照して、本発明の日めくり式カレンダーの開口部、および、開口部から表出する日付表示部の一例について説明する。
カレンダーの月単位の帯１００に形成された日付表示の周縁には、１日単位で切り込み１３が形成されており、切り込みに沿って日付表示紙片１２を剥すと、剥された開口部１５に、２層目のシートに印刷された同一日付けで異なった色彩の日付表示２１が表出する。
２層目のシートに印刷された日付表示２１は、１層目のシートに印刷された有彩色の日付表示と異なり、例えば、無彩色で目立たない表示になっている。例えば、図３に示すように、２層目のシートに印刷された日付表示２１は、背景が白で、日付文字が墨になっている。また、図４に示すように、２層目のシートに印刷された日付表示２１は、無彩色の斜線の背景の中に、白抜きの文字で印刷されている。
休日，祭日の場合は、日付表示の周縁に強調表示枠１１で枠または全面潰しパターンの印刷が施される。
また、切込み１３は、上下辺は前の月と次の月で共有し、左右辺は前の日と次の日で共有するようになっている。
【００２０】
図５を参照して、本発明の日めくり式カレンダーの他の一例について説明する。
図１で説明した、日めくり式カレンダーは、月単位の帯の中に日付け文字が1列で表示されるように２桁の数字は縦に表現した。
図５に示す日めくり式カレンダー５０の例は、月単位の帯の中に丸で囲まれた日付表示紙片１２００、または、１１００を２段に並べて表示している。この形態の場合、数字が自然な状態でレイアウトされているために見易いことが特徴である。
しかし、図５に示した例は、図１で説明した例と異なり、休日，祭日の強調表示枠１１００の表示場所が複雑に配置される。
【００２１】
（実施例）
図６を参照して、本発明の日めくり式カレンダーの作製方法の一例について説明する。
連続フォーム印刷機を使用し、１層目のシートと２層目のシートに月，日付を印刷し、丁合装置を使用して粘着剤を塗布，乾燥，貼り合わせ，切り込み（ハーフカット）処理，ミシン目状カット部形成を行う。
まず、図２で説明した、一層目のシート１への２００５年の図柄（月表示，日付表示等）をロール紙で印刷し、ロール状に巻き取る。
印刷は、ＵＶインキ（紫外線硬化型インキ）を使用し、オフセット方式で印刷する。
同様、２層目のシートに異なった色のインキで図柄をロール紙で印刷し、ロールで巻き取る。印刷は、同様にＵＶインキを使用し、オフセット方式で印刷する。
２層目のシートの積層面には、再剥離可能な粘着剤に対する剥離効果を付与するために全面に透明のＵＶインキを印刷する。
印刷工程の最後に印刷機の１ユニットを使用して、紙の両サイドに丁合装置での紙送りのためのスプロケットホール８を形成する。
【００２２】
丁合装置に前記、印刷済みの１層目のロール紙と、２層目のロール紙をセットし、１層目の紙の裏面に再剥離再接着可能な粘着剤をパターン状に塗布し、乾燥して２層目のロール紙と位置合わせを行って貼り合せる。
貼り合わされた状態で、１層目のシートの日付表示部に切込み１３をハーフカット状に形成し、更に同じラインで、ミシン目状カット部６を形成し、排紙部でジグザグ状に折り畳む。
【００２３】
排紙部では、図６に示すように、日めくり式カレンダー５に形成されたミシン目状カット部６で、Ｙ／２の長さで折り畳む。
スプロケットホール部８は、丁合装置の排紙部直前で日めくり式カレンダー本体から切り離される。
Ｙ／２の長さで折り畳まれた日めくり式カレンダー５は、裁断装置で、裁断線７の部分で切断されてＺ／２のサイズになる。
折り曲げられた日めくり式カレンダー５を伸ばして、長さＺのカレンダーとして使用する。
【００２４】
（材料）
図２を参照して、使用する材料の一例について説明する。
１層目のシート基材１として４０〜８２ｇ／ｍ2の上質紙等から選択して使用する。
また、２層目のシート基材２として６４〜１０５ｇ／ｍ2の上質紙等から選択して使用する。
印刷、および、剥離剤４として使用するインキは、市販されている前述のＵＶ乾燥型のオフセットインキを使用する。
また、接着剤３が、再剥離再接着可能な粘着剤の場合は、微球タイプ（日本カーバイト社製Ｂ−７５８９）の粘着剤や、粘着剤に硬化剤を添加したタイプの粘着剤を使用する。
接着剤が、再接着不可能な再剥離型の接着剤の場合は、天然ゴムに対して、スチレン，メタクリル酸メチルをグラフト共重合させて得られたベース接着剤に、酸化チタン，小麦澱粉，シリカ等の微粒状充填剤を適量添加した接着剤を使用する。
使用される材料は、本発明の日めくり式カレンダーに適したものであれば上述の材料に拘るものではない。
【産業上の利用可能性】
【００２５】
本発明の日めくり式カレンダーは、安価で、嵩張らない日めくり式カレンダー全般に利用できる。
【図面の簡単な説明】
【００２６】
【図１】本発明の日めくり式カレンダーの一例について説明するための図である。
【図２】図１のＡ−Ａ線断面の一例について説明するための図である。
【図３】本発明の日めくり式カレンダーの開口部、および、開口部から表出する日付表示部の一例について説明するための図である。
【図４】本発明の日めくり式カレンダーの開口部、および、開口部から表出する日付表示部の他の一例について説明するための図である。
【図５】本発明の日めくり式カレンダーの他の一例について説明するための図である。
【図６】本発明の日めくり式カレンダーの作製方法の一例について説明するための図である。
【符号の説明】
【００２７】
１      １層目のシート（１層目のシート基材）
２      ２層目のシート（２層目のシート基材）
３      接着剤，粘着剤（接着剤層，粘着剤層）
４      剥離剤（剥離剤層）
５，５０  日めくり式カレンダー
６      ミシン目状カット部
７      裁断線
１０，１０００  月表示部
１００  月単位の帯
１１，１１００  強調表示枠
１２，１２００  日付表示紙片
１３    切込み
１４，２１  日付表示部（日付表示インキ）
１５    開口部
【図１】
2006103081.tif 000003
【図２】
2006103081.tif 000004
【図３】
2006103081.tif 000005
【図４】
2006103081.tif 000006
【図５】
2006103081.tif 000007
【図６】
2006103081.tif 000008